(57)【要約】      （修正有）【課題】火事が発生すると、その火事を自動的に検知して、短時間に消火することが出来る消火装置を提供する。【解決手段】爆薬の爆発で内部に収納された水が瞬時に霧状となって飛散させることができる消火用水タンク３と、この消火用水タンク３に取り付けられた該消火用水タンク３内の水を瞬時に霧状にするとともに、該消火用水タンク３を破壊して霧状の水を外部に飛散させる爆薬４と、この爆薬４に接続された導火線５に接続され、火事が発生した状態を自動的に検知して導火線５を介して爆発させることができる火事を検知できやすい部位に取り付けられる火災検知器６とで消火装置１を構成している。【選択図】図１
0003197603.tif 000002
【実用新案登録請求の範囲】
【請求項１】
爆薬の爆発で内部に収納された水が瞬時に霧状となって飛散させることができる消火用水タンクと、この消火用水タンクに取り付けられた該消火用水タンク内の水を瞬時に霧状にするとともに、該消火用水タンクを破壊して霧状の水を外部に飛散させる爆薬と、この爆薬に接続された導火線に接続され、火事が発生した状態を自動的に検知して導火線を介して爆発させることができる火事を検知できやすい部位に取り付けられる火災検知器とからなることを特徴とする消火装置。
【請求項２】
消火用水タンクは合成樹脂製で２０リットル程の水と、この水を瞬時に霧状にして飛散させることができる爆薬とが内蔵されていることを特徴とする請求項１記載の消火装置。
【考案の詳細な説明】
【技術分野】  本考案は火事が発生すると、その火事を自動的に検知して、短時間に消火することが出来る消火装置に関する。
【背景技術】  従来、火事が発生すると、火事が小さいうちは水をかけて消火したり、消火栓の消火剤をかけて消火していが、火事の発見が遅れて、火事が大きくなると、消防車を出動させて消火することになるが、この消火は主に、延焼を防止するための消火であるため、消火したとしても、燃えた内部は全焼状態あるいは使用不能状態になるのがふつうであった。
【先行技術文献】
【特許文献】
【特許文献１】  特開２０１５−０１３０８８号
【特許文献２】  実開昭５２−１０２８９０号
【考案の概要】
【考案が解決しようとする課題】  本考案は以上のような従来の欠点に鑑み、出火を人が発見しても、人が発見できなくても自動的に、その出火を検知して、瞬時に水を霧状にして、飛散させ、出火部分を霧状にした水で、覆って潜熱で消火し、出火部分の焼出範囲を最小限度にできる消火ができるとともに、従来の消火のための消火剤や水をかけられた部分の再生使用することが出来なくなる損傷を最小範囲にでき、出火部分を安価で容易に再生することができる消火装置を提供することを目的としている。
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】  上記目的を達成するために、本考案は爆薬の爆発で内部に収納された水が瞬時に霧状となって飛散させることができる消火用水タンクと、この消火用水タンクに取り付けられた該消火用水タンク内の水を瞬時に霧状にするとともに、該消火用水タンクを破壊して霧状の水を外部に飛散させる爆薬と、この爆薬に接続された導火線に接続され、火事が発生した状態を自動的に検知して導火線を介して爆発させることができる火事を検知できやすい部位に取り付けられる火災検知器とで消火装置を構成している。
【考案の効果】  以上の説明から明らかなように、本考案にあっては次に列挙する効果が得られる。
（１）請求項１により、火事が発生すると、この火事を火災検知器によって、自動的に検出し、該火災検知器で導火線を介して爆薬を爆発させ、消火用水タンク内の水を瞬時に霧状にして飛散させ、出火部分を霧状になった水で、覆って潜熱で消火することができる。
したがって、火事による、出火部分の焼出範囲を最小限度で消火することができるとともに、従来の消火のための消火剤や水をかけられた部分の再生使用することが出来なくなる損傷を最小範囲にでき、出火部分を安価で容易に再生することができる。
（２）前記（１）により、本考案の消火装置を設置しておくことにより、火事の出火を人が発見しても、人が発見できなくても、自動的に消火することができる。
（３）前記（１）により、小さな出火の内に消火するので、爆薬を爆発させて消火用水タンク内の水を瞬時に霧状にするだけでよく、使用する爆薬の量も少なく、安全で、誤って爆発したとしても、消火用水タンク内の水が瞬時に霧状にして飛散されるだけであるため、安全に使用することができる。
（４）前記（１）により、火災検知器を現在使用されているものを使用することができ、比較的に安価に製造することができる。
（５）請求項２も前記（１）〜（４）と同様な効果が得られるとともに、消火用水タンクも小さくてよく、容易に設置することができる。
【図面の簡単な説明】
【図１】本考案を実施するための第１の形態の設置状態の説明図。
【図２】本考案を実施するための第１の形態の消火用水タンクの平面図。
【図３】本考案を実施するための第１の形態の消火用水タンクの右側面図。
【図４】本考案を実施するための第１の形態の消火用水タンクの断面図。
【図５】本考案を実施するための第１の形態の消火状態の説明図。
【図６】本考案を実施するための第２の形態の設置状態の説明図。
【図７】本考案を実施するための第２の形態の消火用水タンクの正面図。
【図８】本考案を実施するための第２の形態の消火用水タンクの右側面図。
【図９】本考案を実施するための第３の形態の設置状態の説明図。
【図１０】本考案を実施するための第３の形態の消火用水タンクの正面図。
【図１１】本考案を実施するための第３の形態の消火用水タンクの右側面図。
【考案を実施するための形態】
以下、図面に示す本考案を実施するための形態により、本考案を詳細に説明する。
図１ないし図５に示す本考案を実施するための第１の形態において、１は火事を自動的に検出して消火する本考案の消火装置で、この消火装置１は所定量の水２が収納され、内部の圧力が高くなると全体が破損あるいは底部を除く上部が破損するように構成された消火用水タンク３と、この消火用水タンク３に取り付けられた該消火用水タンク３内の水２を瞬時に霧状にして飛散させる爆薬４と、この爆薬４に一端部が接続され、他端部が前記消火用水タンク３外へ導き出された導火線５に接続され、火事が発生した状態を自動的に検知して該導火線５を介して前記爆薬４を爆発させることができる火事を検知できやすい部位に取り付けることができる火災検知器６とで構成されている。
前記消火用水タンク３は合成樹脂製で２０リットル程の水２と、この水２を瞬時に霧状にして飛散させることができる爆薬４とが内蔵されるもので、爆薬４の爆発で該消火用水タンク３の全体が破損する材質のものが使用されている。
前記火災検知器６は火災を検知することができる従来から一般に使用されているものや、紫外線センサーや赤外線センサーを用いたもの、特開２０１０−２３８０１２、特開２００５−６２９３５等の火災検知器を使用してもよい。
上記構成の消火装置１は火事が発生しやすい部分を監視することができる、例えば天井部分に前記火災検知器６を設置するとともに、該火災検知器６に導火線５で接続された所定量の水２が収納された消火用水タンク３を火事が発生しやすい部分あるいは、その近傍に設置して使用する。
図５に示すように火事７が発生すると火災検知器６で検知して、導火線５を介し爆薬４を爆発させ、消火用水タンク３内の水２を瞬時に霧状にして、該消火用水タンク３を破壊および霧状の水を周囲に飛散させることにより、出火部分を霧状になった水で、覆って、その潜熱で消火することができる。
［考案を実施するための異なる形態］
次に、図６ないし図１１に示す本考案を実施するための異なる形態につき説明する。なお、これらの本考案を実施するための異なる形態の説明に当って、前記本考案を実施するための第１の形態と同一構成部分には同一符号を付して重複する説明を省略する。
図６ないし図８に示す本考案を実施するための第２の形態において、前記本考案を実施するための第１の形態と主に異なる点は、爆薬４の爆発時に破損しやすいように外周全体に薄肉破損部８を形成した消火用水タンク３Ａを用いた点で、このような消火用水タンク３Ａを用いた消火装置１Ａにしても前記本考案を実施するための第１の形態と同様な作用効果が得られる。
図９ないし図１１に示す本考案を実施するための第３の形態において、前記本考案を実施するための第１の形態と主に異なる点は、爆薬４の爆発時に上部位置が破損しやすいように下部を除く上部位置に薄肉破損部８Ａを形成した消火用水タンク３Ｂを用いた点で、このような消火用水タンク３Ｂを用いた消火装置１Ｂにしても前記本考案を実施するための第１の形態と同様な作用効果が得られる。
【産業上の利用可能性】  本考案は火事が発生すると、その火事を自動的に検知して、短時間に消火することが出来る消火装置を製造する産業で利用される。
【符号の説明】１、１Ａ、１Ｂ：消火装置、      ２：水、
３、３Ａ、３Ｂ：消火用水タンク、４：爆薬、
５：導火線、                    ６：火災検知器、
７：火事、                      ８、８Ａ：薄肉破損部。
【図１】
0003197603.tif 000003
【図２】
0003197603.tif 000004
【図３】
0003197603.tif 000005
【図４】
0003197603.tif 000006
【図５】
0003197603.tif 000007
【図６】
0003197603.tif 000008
【図７】
0003197603.tif 000009
【図８】
0003197603.tif 000010
【図９】
0003197603.tif 000011
【図１０】
0003197603.tif 000012
【図１１】
0003197603.tif 000013